(57)【要約】【課題】極めて簡素な構成でありながら、壁面に取付けられるときに壁面に対する取付角度の微調整を容易に行なうことができると共に、堅牢性に優れた角度調節機構を備えた壁面装飾用ボックスを提供する。【解決手段】直方体形状に枠組みされ、壁面取付部となる後面２Ａから左右両端面にかけて延びる切り欠き部２Ｄを有し、内部にスペースを有するフレーム２と、このフレーム２の少なくとも前面２Ｅを覆う化粧パネル３とを備える壁面装飾用ボックス１において、フレーム２の後面２Ａに螺着され後面２Ａからの突出量を調節可能とする角度調節ネジ４と、この角度調節ネジ４の突出部に貼り付けられると共に壁面Ｗとの接触面に粘着面５Ｂを形成してなる圧力分散板５とを備える。【選択図】図２
2020153064.tif 000002
【特許請求の範囲】
【請求項１】
直方体形状又は立方体形状に枠組みされ、壁面取付部となる後面から左右両端面にかけて延びる切り欠き部を有し、内部にスペースを有するフレームと、
このフレームの少なくとも前面を覆う化粧パネルとを備える壁面装飾用ボックスにおいて、
フレームの後面に螺着され後面からの突出量を調節可能とする角度調節ネジと、
この角度調節ネジの突出部に貼り付けられると共に壁面との接触面に粘着面を形成してなる圧力分散板とを備えることを特徴とする壁面装飾用ボックス。
【請求項２】
前記フレームの後面の上端部近傍はその長手方向が水平となるように壁面に取付けられる取付けレールと、この取付けレールに対して係止される取付けフックを備え、この後面の下端部近傍の左右両側に前記角度調節ネジおよび圧力分散板による角度調節機構をそれぞれ備える請求項１に記載の壁面装飾用ボックス。
【請求項３】
前記圧力分散板は壁面装飾用ボックスにかかる全ての荷重を壁面の応力によって除算した大きさに比例する面積を備える板状体であり、この圧力分散板をフレームの後面に貼り付ける力の強さが前記角度調節ネジの螺進による突出を阻害しない程度の強さである請求項１または２に記載の壁面装飾用ボックス。
【請求項４】
前記圧力分散板は、フレームの後面との接触面および壁面との接触部に形成される粘着面が両面テープを貼着したものである請求項１〜３の何れかに記載の壁面装飾用ボックス。
【請求項５】
その内部に水栓の止水部を収容してある請求項１〜４の何れかに記載の壁面装飾用ボックス。
【発明の詳細な説明】
【技術分野】
【０００１】
本発明は、壁面装飾用ボックスに関する。
【背景技術】
【０００２】
水栓の接続構造として、シンク（あるいは洗面台、以下同じ）の天面などに取り付けられた操作部を備えると共に、シンクの下部において止水栓に給水口を備えシンクの上部に吐出させる吐水口を備えるものがあった。この水栓への配管の接続はシンクの下部などの露出しない部分において配管された水配管に可撓管を連通連結させることにより行なっていた。
【０００３】
ところで、水回りの改装を行なうときに既存の水栓の位置を変更したり、新たな位置に水栓を新設することがあるが、従来の壁面に埋設された配管を変更するためには多くの手間がかかる埋設管の変更を行なう必要があった。つまり、従来の水栓は水栓と配管を繋ぐ壁面の配管の位置が限定されるため自由度がなかった。そこで、本出願人は鋭意研究の結果、特許文献１に示される壁面装飾用ボックスの発明を行い、特許されるに至っている。
【０００４】
前記壁面装飾用ボックスはその設置によって形成される配管用スペースに配管を行なうことができ、極めて容易に配管の変更を行なうことができるだけでなく、施工後の見栄えが良い。さらに、壁面装飾用ボックス内のスペースを用いて、その内部に水栓を組み込むだけでなく、水栓廻りの石けん台や、ボトルホルダーなどを壁面装飾用ボックス内に形成することも可能となる。
【先行技術文献】
【特許文献】
【０００５】
【特許文献１】特許第６３７４６２６号公報
【発明の概要】
【発明が解決しようとする課題】
【０００６】
しかしながら、壁面に設置する壁面装飾用ボックスは、横に複数並べて施工した際に、ばらつきが発生して、角度の微小な違いなどによって段差が生じることがある。また、この壁面装飾用ボックス内に水栓を組み込んだ状態で壁面に取付けると、その重みで前に倒れるように傾倒することがあり、大きな荷重がかかっていない他の壁面装飾用ボックスとの接続部に段差が発生する。そこで、その取付角度の微調整を行なって水平を保つことが必要であるが、この微調整を行なう手段が比較的複雑になるため、製造コストの引き上げを伴うという問題があった。
【０００７】
本発明は上述の事柄を考慮に入れてなされたものであり、極めて簡素な構成でありながら、壁面に取付けられるときに壁面に対する取付角度の微調整を容易に行なうことができると共に、堅牢性に優れた角度調節機構を備えた壁面装飾用ボックスを提供することを目的とする。
【課題を解決するための手段】
【０００８】
上記問題点を解決するために、本発明は、直方体形状又は立方体形状に枠組みされ、壁面取付部となる後面から左右両端面にかけて延びる切り欠き部を有し、内部にスペースを有するフレームと、このフレームの少なくとも前面を覆う化粧パネルとを備える壁面装飾用ボックスにおいて、フレームの後面に螺着され後面からの突出量を調節可能とする角度調節ネジと、この角度調節ネジの突出部に貼り付けられると共に壁面との接触面に粘着面を形成してなる圧力分散板とを備えることを特徴とする壁面装飾用ボックスを提供する。（請求項１）
【０００９】
上記構成の壁面装飾用ボックスは搬送時には角度調節ネジの位置に圧力分散板が貼着されているだけのシンプルなものであるから、重量の増加も占有堆積の増加もほとんど無く扱いやすい。なお、搬送時には粘着面を剥離フィルムなどで覆うことにより搬送時の貼り付きを防止できることはいうまでもない。壁面装飾用ボックスを壁面に取付けると、圧力分散板の粘着面が壁面に面するので圧力分散板が壁面に貼り付けられて壁面装飾用ボックスの位置ズレを確実に防止することができる。さらに、角度調節ネジを回すことにより、フレームの後面から突出する角度調節ネジの先端が圧力分散板に当接し、これを壁面に押しつけることにより、フレームの設置角度を微調整することができる。
【００１０】
このとき、フレーム後面に貼り付けられた圧力分散板に角度調節ネジの先端部が当接し、その力を圧力分散板の全体に分散させて壁面に作用させることができるので、壁面に傷を付けたり、凹ませたりすることがなく、安定した角度調整を確実に行なうことができる。なお、フレームの設置角度を微調整した後に別の穴にタッピングビスを挿入し、壁面にねじ込むことにより、より強固に壁面に固定することが可能となる。
【００１１】
圧力分散板は角度調節ネジにかかる力によって塑性変形することがない程度の強度を備えるものであることが好ましく、フレームの幅からはみ出すことがない程度の大きさであることにより、フレームに貼着した状態にて搬送が容易となる。フレームに螺着される角度調節ネジと圧力分散板による角度調節機構は極めてシンプルな構成でありながら、必要十分な強度と安定性を持って角度調整を行なうことができる。さらに、構造が極めてシンプルであるから角度調節機構の操作が感覚的につかみやすく、容易に角度調節操作を行なうことができる。
【００１２】
前記フレームの後面の上端部近傍はその長手方向が水平となるように壁面に取付けられる取付けレールと、この取付けレールに対して係止される取付けフックを備え、この後面の下端部近傍の左右両側に前記角度調節ネジおよび圧力分散板による角度調節機構をそれぞれ備える場合（請求項２）には、フレームの上部における取付は、取付けレールへの取付けフックの係合のみのワンタッチ操作で行なうことができ、かつ、真っ直ぐな取付けレールへの取付によってフレーム上部の高さを極めて容易に揃えることができる。
【００１３】
角度調節ネジおよび圧力分散板による角度調節機構をフレーム下端部近傍の左右両側に設けているので、壁面装飾用ボックスの左右両側における角度調節をそれぞれ行なうことこができ、仮に壁面に凹凸が有ったとしてもフレームの歪みを抑えることができる。また、左右に別の壁面装飾用ボックスを隣接させる場合に左右どちらの繋ぎ目にも段差が発生することがないように微調整を行なうことができる。
【００１４】
前記圧力分散板は壁面装飾用ボックスにかかる全ての荷重（例えば６０ｋｇなど）を壁面の応力によって除算した大きさに比例する面積を備える板状体であり、この圧力分散板をフレームの後面に貼り付ける力の強さが前記角度調節ネジの螺進による突出を阻害しない程度の強さである場合（請求項３）には、壁面の応力を考慮に入れて大きすぎることも小さすぎることもないベストの大きさの圧力分散板を形成できる。圧力分散板は角度調節ネジの螺進によってフレーム後面から剥がされて壁面側に貼着されるが、その貼着位置は角度調節ネジの力を均等に分散させて壁面に作用させるための最も適した位置となる。
【００１５】
前記圧力分散板は、フレームの後面との接触面および壁面との接触部に形成される粘着面が両面テープを貼着したものである場合（請求項４）には、薄いステンレス板によって圧力分散板の強度を十分に保つことができ、水回りに配置される物であっても錆びにくく衛生的である。加えて、両面テープによるステンレス板の貼り付けや、粘着面の形成により製造および組み付けを容易として、製造コストの低減を図ることができる。又、本発明の壁面装飾用ボックスは、その内部に水栓の止水部を収容してもよい（請求項５）。
【００１６】
なお、角度調節ネジはフレーム後面に設けた角度調節ネジのネジ穴に対して螺着されるネジであるが、この角度調節ネジをタッピングねじとすることにより、フレーム側に雌ねじを形成する手間を省略して、さらなる製造コストの削減を図ることも可能である。
【発明の効果】
【００１７】
上述したように、本発明によれば、極めてシンプルな構成で壁面に取付けた壁面装飾用ボックスの角度の微調節を行なう事ができる、それだけ、製造コストの引き下げを図り、簡単に角度調節操作を行なうことができる壁面装飾用ボックスを提供することができる。
【図面の簡単な説明】
【００１８】
【図１】本発明の第１実施形態に係る壁面装飾用ボックスを用いた水栓の接続構造の構成を示す正面図である。
【図２】前記壁面装飾用ボックスの固定方法を示す縦断面図である。
【図３】前記壁面装飾用ボックスの固定方法を示す斜視図である。
【図４】前記壁面装飾用ボックスの固定方法を示す別の斜視図である。
【図５】前記壁面装飾用ボックスを用いた水栓に並べて別の壁面装飾用ボックスを配置する例を示す図である。
【図６】前記壁面装飾用ボックスの側面図である。
【発明を実施するための形態】
【００１９】
以下、図１〜図６を用いて本発明の実施の形態を図面に基づいて説明する。
【００２０】
図１に示すように、本発明の壁面装飾用ボックス１はその内部に例えば湯水混合栓等の水栓の止水部１Ａを収容させ、下面に吐水口１Ｂを取付けると共に、壁面装飾用ボックス１の内部に湯および水の配管１Ｃ，１Ｄを収容させることにより、配管１Ｃ，１Ｄの自由な取り回しを可能とする水栓を形成することができるように構成されている。
【００２１】
なお、本発明の壁面装飾用ボックス１は水栓を形成するのみならず、棚、ティッシュペーパー入れ、タオル掛けなどの種々の壁掛け小物として用いることができ、また、水栓に湯または水を供給する配管１Ｃ、１Ｄ用の延長の収容ボックスなどを壁面Ｗに取付けることにも適している。
【００２２】
図２〜図６に示すように、本発明の実施形態に係る壁面装飾用ボックス１は、直方体形状に枠組みされ、壁面Ｗへの取付部となる後面２Ａから左右両端面２Ｂ，２Ｃにかけて延びる切り欠き部２Ｄを有し、内部にスペースＳを有するフレーム２と、このフレーム２の少なくとも前面２Ｅを覆う化粧パネル３（図６に図示）とを備え、フレーム２の後面２Ａに螺着され後面２Ａからの突出量を調節可能とする角度調節ネジ４と、この角度調節ネジ４の突出部に貼り付けられると共に壁面Ｗとの接触面に粘着面を形成してなる圧力分散板５とを備える。
【００２３】
また、前記フレーム２の後面２Ａの上端部近傍は長手方向が水平となるように壁面Ｗに取付けられる取付けレール６を備え、フレーム２の後面２Ａの上端部近傍には取付けレール６に対して係止される取付けフック７を備え、この後面２Ａの下端部近傍の左右両側に前記角度調節ネジ４および圧力分散板５による角度調節機構をそれぞれ備える。
【００２４】
前記圧力分散板５は壁面装飾用ボックス１にかかる全ての荷重を壁面Ｗの応力（壁面Ｗが破損しない圧力）によって除算した大きさに比例する面積を備える、たとえば、ステンレス板（板状体）であり、この圧力分散板をフレーム２の後面２Ａに貼り付ける力の強さが前記角度調節ネジ４の螺進による突出を阻害しない程度の強さである。すなわち、圧力分散板５をフレーム２に貼り付けるための両面テープ５Ａの粘着力は、圧力分散板５を壁面Ｗに貼り付けるための両面テープ５Ｂの粘着力よりも弱くしてあることが好ましい。なお、搬送時には両面テープ５Ｂに非粘着フィルムなどを貼着して施工時までは他の部分に貼り付くことを防止する。
【００２５】
図２の拡大図に示すように、フレーム２の後面２Ａには角度調節ネジ４を螺合するための雌ねじ８が形成されると共に、角度調節ネジ４を挿通する程度の大きさの貫通孔９が形成されている。
【００２６】
さらに、図３，図４に示すように貫通孔９の外側にはそれぞれタッピングねじ１１を挿通させる貫通孔１０が形成されている。なお、フレーム２の前面２Ｅの各穴８〜１０に対応する位置にはねじ操作孔１２が形成されている。
【００２７】
次に、図２〜図４を用いて、上記構成の壁面装飾用ボックス１を壁面Ｗに取付ける工程を説明する。まず、壁面Ｗに取付けレール６をその長手方向が丁度水平になるように取付け、この取付けレール６の上端部にフレーム２の後面２Ａの上端部近傍に設けた取付けフック７を係止させる。このとき、前記圧力分散板５に形成した両面テープ５Ｂを保護していた保護フィルムを取り除くことにより両面テープ５Ｂの粘着面は壁面Ｗに当接し、壁面装飾用ボックス１は取付けフック７を引っかけた状態で壁面Ｗに押しつけるだけのワンタッチ操作で壁面Ｗに仮止めすることができる。
【００２８】
前記取付けレール６は水平を保つように壁面Ｗに取付けられているので、この取付けレール６に取付けフック７を係合させることにより、作業者は何も意識することなく壁面装飾用ボックス１を壁面Ｗに対して丁度水平に仮止めされる。
【００２９】
壁面Ｗに両面テープ５Ｂ（貼着面）を押しつけて壁面Ｗに圧力分散板５が貼り付けられた後、前記ねじ操作孔１２からドライバーを差し込んで角度調節ネジ４を螺進させることにより角度調節ネジ４の先端部によってフレーム２から圧力分散板５を引き剥がしてフレーム２の下端部と壁面Ｗの距離の微調整を行なうことができる。上記取付けレール６と取付けフック７によってフレーム２の上端部における係合位置は固定されるものであるから、角度調節ネジ４と圧力分散板５による微調整は角度調節機構として機能する。
【００３０】
図３に示すように、上記工程において圧力分散板５は壁面Ｗに貼着されるものであるから、これを仮止めして壁面装飾用ボックス１の位置決めを安定して行なうことができ、角度調節ネジ４の先端部が圧力分散板５の適正な場所（中心部）に外れることなく当接する。
【００３１】
壁面装飾用ボックス１内に挿入された湯水混合栓のカートリッジ１Ａや配管１Ｃ，１Ｄなどの重量物によって全体の重量が増加する場合、壁面装飾用ボックス１にはその前面が下がる方向に回転力が加わり続けることになるが、角度調節ネジ４を適宜螺進させて調節することにより、この回転力に抵抗させて壁面装飾用ボックス１を水平に保たせることができる。このとき角度調節ネジ４の先端部にかかった力は圧力分散板５によって必要十分な面積に分散されて壁面Ｗに作用することになり、壁面Ｗを凹ませたり傷つけたりすることなく、適正な状態を長期間にわたって保持し続けることができる。
【００３２】
角度調節ネジ４を用いた角度調節が完了すると、図４に示すように、タッピングねじ１１を貫通孔１０に挿入しこれを螺着することにより、壁面装飾用ボックス１の取付け状態を安定して保持させることができる。
【００３３】
図５に示すように、上記構成の壁面装飾用ボックス１は湯水混合ユニットを収容する場合のように、配管１Ｃ，１Ｄを収容するための比較的大きな空間を確保できるロングタイプ１Ｌと、横幅を短くしたショートタイプ１Ｓを用意してあることが好ましい。
【００３４】
すなわち、壁面装飾用ボックス１を水栓として用いる場合、取付部の条件によっては配管１Ｃ，１Ｄを壁面装飾用ボックス１からはみ出して配置する必要が生じることがある。このような場合は前記取付けレール６を延長して形成し追加の壁面装飾用ボックス１を配置することができる。
【００３５】
このとき、取付けレール６を一本ものとするか、同じ高さに揃えて取付けることにより、壁面装飾用ボックス１Ｌ，１Ｓの後側の高さは確実に揃えることができ、壁面装飾用ボックス１Ｌ，１Ｓの前側の高さや取付角度は角度調節ネジ４によって微調整することに合わせることができるので、二つの壁面装飾用ボックス１Ｌ，１Ｓの継ぎ目に段差を生じさせることなく施工を施すことができる。
【００３６】
本発明の壁面装飾用ボックス１に用いる角度調節機構は角度調節ネジ４と圧力分散板５の極めてシンプルな構成であるから、製造コストを削減でき、搬送時における手間や重量の増加も最小限に抑え中が、施工時にはその構造を一目見るだけで誰にでも簡単に適正な角度調整を行なうことができる利点がある。
【００３７】
本実施形態で示すように壁面装飾用ボックス１の左右両側においてそれぞれ角度調節ネジ４による角度調節機構を備えることにより、壁面装飾用ボックス１に生じうる捩れ方向の歪みを補正することも可能となる。すなわち、壁面Ｗに凹凸があるような場合においても、この壁面Ｗに設置した壁面装飾用ボックス１を捻らせたり、歪ませたり、段差を発生させたりすることなく美しい施工を極めて容易に行なうことができる。
【００３８】
図６に示すように、角度調整と壁面Ｗへのねじ込み固定を行なった後に、フレームの前面２Ｅに化粧パネル３を固定する。化粧パネル３の上端部近傍にはフレーム２の前面２Ｅの上端部に設けた係合部２Ｆに係合する係合部３Ａを備え、化粧パネル３の下端部にはフレーム２の前面２Ｅにねじ止め保持される取付け片３Ｂを形成している。
【００３９】
上述の実施形態において、本発明の壁面装飾用ボックス１を用いてシングルレバー式の湯水混合栓を形成する例を示しているが、本発明の壁面装飾用ボックス１はこの点に限定されるものではないことはいうまでもない。すなわち、本発明の壁面装飾用ボックス１を用いて温度調節型の湯水混合栓を形成するものであっても、引出し可能なシャワーヘッドを備えるものを形成するもののように、重量物を備えるものであっても角度調節ネジ４と圧力分散板５による角度調節機構が壁面装飾用ボックス１の設置角度の微調整を可能とすると共に設置した角度を長期間にわたって保たせることができる堅牢性を備えている。
【００４０】
同様に、上述の例では角度調節ネジ４としてフレーム２の後面２Ａに形成された雌ねじ８に螺合するものである例を示しているが、これをタッピングねじとして、雌ねじ８の形成も省略してもよいことはいうまでもない。
【符号の説明】
【００４１】
１  壁面装飾用ボックス
２  フレーム
２Ａ  後面
２Ｂ，２Ｃ  両端面
２Ｄ  切り欠き部
２Ｅ  前面
３  化粧パネル
４  角度調節ネジ
５  圧力分散板
５Ａ，５Ｂ  両面テープ
６  取付けレール
７  取付けフック
Ｓ  スペース
【図１】
2020153064.tif 000003
【図２】
2020153064.tif 000004
【図３】
2020153064.tif 000005
【図４】
2020153064.tif 000006
【図５】
2020153064.tif 000007
【図６】
2020153064.tif 000008